(57)【要約】【課題】安定して移動させ得る間仕切パネルを提供する。【解決手段】間仕切パネル１は、パネル幅方向両側の上端部に設けられ、天井２側に設置された下向きに開口する上レール５にガイドされる一対の上ガイド部２０，２０と、走行方向が自在とされた自在キャスター３１とパネル幅方向に沿って移動される直進状態において走行方向がパネル幅方向に沿う方向とされる固定キャスター３６とを前記直進状態におけるパネル幅方向に沿って間隔を空けてそれぞれに有し、パネル幅方向両側の下端部に設けられた一対の下ガイド部３０，３０と、これらパネル幅方向両側の各上ガイド部と各下ガイド部とをパネルに対して垂線廻りに回動可能にそれぞれに連結する一対の連結部材１６，１６と、を備えており、前記上ガイド部には、前記上レールに沿って移動する際に該上レールの両側壁部５ｂ，５ｂに規制されて前記連結部材の回動を規制する規制部２１，２５が設けられている。【選択図】図１
2013189777.tif 000002
【特許請求の範囲】
【請求項１】
パネル幅方向両側の上端部に設けられ、天井側に設置された下向きに開口する上レールにガイドされる一対の上ガイド部と、
走行方向が自在とされた自在キャスターとパネル幅方向に沿って移動される直進状態において走行方向がパネル幅方向に沿う方向とされる固定キャスターとを前記直進状態におけるパネル幅方向に沿って間隔を空けてそれぞれに有し、パネル幅方向両側の下端部に設けられた一対の下ガイド部と、
これらパネル幅方向両側の各上ガイド部と各下ガイド部とをパネルに対して垂線廻りに回動可能にそれぞれに連結する一対の連結部材と、を備えており、
前記上ガイド部には、前記上レールに沿って移動する際に該上レールの両側壁部に規制されて前記連結部材の回動を規制する規制部が設けられていることを特徴とする間仕切パネル。
【請求項２】
請求項１において、
前記上ガイド部の規制部は、前記上レールの両側壁部にそれぞれが規制される第１規制部と第２規制部とを前記直進状態におけるパネル幅方向に沿って間隔を空けて設けた構造とされていることを特徴とする間仕切パネル。
【請求項３】
請求項１または２において、
前記下ガイド部は、前記固定キャスターのパネル幅方向外方側に前記自在キャスターを設けた構造とされていることを特徴とする間仕切パネル。
【請求項４】
請求項１乃至３のいずれか１項において、
前記一対の連結部材は、それぞれの上端部が前記各上ガイド部に連結され、それぞれの下端部が前記各下ガイド部に連結され、パネル本体に対して垂線廻りに回動自在に支持された一対の棒状連結部材とされており、
これら一対の棒状連結部材のそれぞれを覆うように設けられたカバーをパネル幅方向両側に備えていることを特徴とする間仕切パネル。
【請求項５】
請求項１乃至３のいずれか１項において、
前記一対の連結部材は、それぞれの上端部に前記各上ガイド部を設け、それぞれの下端部に前記各下ガイド部を設け、パネル本体の幅方向両側に垂線廻りに回動自在に連結された一対の板状連結部材であることを特徴とする間仕切パネル。
【発明の詳細な説明】
【技術分野】
【０００１】
本発明は、室内空間を間仕切る間仕切パネルに関する。
【背景技術】
【０００２】
従来より、天井側に配設された上レールに沿って移動自在とされ、室内空間を間仕切る間仕切パネルが知られている。このような間仕切パネルとしては、上レールに走行自在に係合するランナー部材を間仕切パネルの上端部に設けた上吊り構造とされたものがあった。このような上吊り構造の間仕切パネルでは、パネルの荷重が上レールに掛かるため、上レールを強固に天井側に固定する必要があり、天井側に上レールの取付下地や補強下地を設ける必要があった。また、下端部に戸車を設け、床側に敷設された戸車レールに沿って移動自在とされた間仕切パネルもあるが、このようなものでは、床側に戸車レールが必要となり、また、パネル幅方向に直交する方向への方向転換が困難となる場合もあった。
【０００３】
そこで、下端部に床上を走行自在とされたキャスターを設け、上端部に天井側に設けられたレールに沿って回動するローラを設けた間仕切パネルが提案されている（例えば、下記特許文献１及び下記特許文献２参照）。このような間仕切パネルでは、下荷重型でありながらも戸車レールを要しないものではあるが、方向転換を可能とするために下端のキャスターの走行方向が自在とされている。そのため、パネルを移動させる際に下端側が厚さ方向に振れる下振れ等が生じることが考えられる。
【０００４】
例えば、下記特許文献３では、上レールにガイドされる走行具を上端に設け、下端両サイドにキャスターを設けた移動壁が提案されている。この移動壁は、一方側に、走行方向が自在とされたセンターキャスターを設け、他方側に移動壁に対して回動可能とされたブラケットの両サイドに走行方向が自在とされたローラをそれぞれに設けたブラケットキャスターを設けた構造とされている。このブラケットキャスターは、そのブラケットを移動壁に対して垂直方向に向け、その両ローラを移動壁から外側に突出させることで移動壁を安定して起立させる役目を有したものとされている。
【先行技術文献】
【特許文献】
【０００５】
【特許文献１】特開昭６３−２４１２４８号公報
【特許文献２】特開２００２−３５７０５８号公報
【特許文献３】実開平６−５９５７８号公報
【発明の概要】
【発明が解決しようとする課題】
【０００６】
上記特許文献３に記載された移動壁においては、下端側が３つのローラに支持されるためある程度は安定するものとは考えられる。しかしながら、一方側のセンターキャスター側では、従来同様に下振れ等が生じることが考えられ、また、これら下端側のローラは、いずれも走行方向が自在とされている。そのため、パネルを移動させる際に下振れ等が生じ易くなることが考えられ、更なる改善が望まれる。
【０００７】
本発明は、上記実情に鑑みてなされたものであり、安定して移動させ得る間仕切パネルを提供することを目的としている。
【課題を解決するための手段】
【０００８】
上記目的を達成するために、本発明に係る間仕切パネルは、パネル幅方向両側の上端部に設けられ、天井側に設置された下向きに開口する上レールにガイドされる一対の上ガイド部と、走行方向が自在とされた自在キャスターとパネル幅方向に沿って移動される直進状態において走行方向がパネル幅方向に沿う方向とされる固定キャスターとを前記直進状態におけるパネル幅方向に沿って間隔を空けてそれぞれに有し、パネル幅方向両側の下端部に設けられた一対の下ガイド部と、これらパネル幅方向両側の各上ガイド部と各下ガイド部とをパネルに対して垂線廻りに回動可能にそれぞれに連結する一対の連結部材と、を備えており、前記上ガイド部には、前記上レールに沿って移動する際に該上レールの両側壁部に規制されて前記連結部材の回動を規制する規制部が設けられていることを特徴とする。
【０００９】
本発明においては、前記上ガイド部の規制部を、前記上レールの両側壁部にそれぞれが規制される第１規制部と第２規制部とを前記直進状態におけるパネル幅方向に沿って間隔を空けて設けた構造としてもよい。
また、本発明においては、前記下ガイド部を、前記固定キャスターのパネル幅方向外方側に前記自在キャスターを設けた構造としてもよい。
また、本発明においては、前記一対の連結部材を、それぞれの上端部が前記各上ガイド部に連結され、それぞれの下端部が前記各下ガイド部に連結され、パネル本体に対して垂線廻りに回動自在に支持された一対の棒状連結部材とし、これら一対の棒状連結部材のそれぞれを覆うように設けられたカバーをパネル幅方向両側に備えたものとしてもよい。
また、本発明においては、前記一対の連結部材を、それぞれの上端部に前記各上ガイド部を設け、それぞれの下端部に前記各下ガイド部を設け、パネル本体の幅方向両側に垂線廻りに回動自在に連結された一対の板状連結部材としてもよい。
【発明の効果】
【００１０】
本発明に係る間仕切パネルは、上述のような構成としたことで、安定して移動させることができる。
【図面の簡単な説明】
【００１１】
【図１】本発明の一実施形態に係る間仕切パネルの一例を模式的に示す一部破断概略正面図である。
【図２】（ａ）、（ｂ）は、いずれも同間仕切パネルの概略斜視図である。
【図３】（ａ）は、同間仕切パネルの一部を省略した一部破断概略側面図、（ｂ）は、図２（ａ）におけるＸ部に対応させた一部を省略した一部破断部分拡大斜視図である。
【図４】（ａ）〜（ｃ）は、いずれも同間仕切パネルの概略平面図である。
【図５】（ａ）〜（ｃ）は、いずれも同間仕切パネルの概略平面図である。
【図６】（ａ）、（ｂ）は、いずれも同間仕切パネルを設置した状態の一例を模式的に示す概略斜視図である。
【図７】本発明の他の実施形態に係る間仕切パネルの一例を模式的に示す一部破断概略正面図である。
【図８】（ａ）、（ｂ）は、いずれも同間仕切パネルの概略斜視図である。
【図９】（ａ）〜（ｃ）は、いずれも同間仕切パネルの概略平面図である。
【図１０】（ａ）〜（ｃ）は、いずれも同間仕切パネルの概略平面図である。
【発明を実施するための形態】
【００１２】
以下に本発明の実施の形態について、図面に基づいて説明する。
なお、一部の図では、他図に付している詳細な符号の一部を省略している。
また、図３では、後記するカバーの図示を省略している。
また、以下の各実施形態では、間仕切パネルが設置された状態を基準として、上下方向等の方向を原則的に説明する。
【００１３】
図１〜図６は、第１実施形態に係る間仕切パネルの一例を模式的に示す図である。
本実施形態に係る間仕切パネル１は、図６に示すように、住居等の建物の室内空間の天井２側に設置される上レール５とによって、間仕切装置９を構成する。
この間仕切装置９は、図６に示すように、上レール５と、複数枚の間仕切パネル１と、を備えている。
間仕切パネル１は、パネル幅方向両側の上端部に、上レール５にガイドされる一対の上ガイド部２０，２０をそれぞれに設け、パネル幅方向両側の下端部に、床３上を走行する一対の下ガイド部３０，３０をそれぞれに設けた下荷重構造とされている（図１参照）。なお、本実施形態に係る間仕切パネル１の具体的構成については後述する。
【００１４】
本実施形態では、上レール５を、図６に示すように、天井２に沿わせるようにして固定した例を示している（図１及び図３（ａ）も参照）。
この上レール５としては、複数本の直線状の直線レール部６と、二本の直線レール部６同士を、コーナーを形成するように接続するコーナー部７と、四本の直線レール部６同士を、交差部を形成するように接続する交差部８と、を備えたものとしてもよい。
これら直線レール部６、コーナー部７及び交差部８からなる上レール５は、金属系材料や硬質の合成樹脂系材料から形成されたものとしてもよい。また、上レール５の天井２側への固定は、下方側からねじ等の固定止具によって固定する態様としてもよい。上記したように、間仕切パネル１は、下荷重型であるので、上レール５には然程の荷重が掛からないため、天井仕上げ材や下地パネル材等に対して固定するようにしてもよく、または、適宜の下地桟や補強桟等に対して固定するようにしてもよい。
【００１５】
上レール５の直線レール部６、コーナー部７及び交差部８は、それぞれ概ね同一の縦断面形状とされており、図３（ａ）に示すように、下向きに開口した縦断面略コ字状（略Ｕ字状または略Ｃ字状）とされている。この上レール５は、天井２と略平行に配設される天壁部５ａと、この天壁部５ａの幅方向両縁から下方側に向けて垂れ下がるように設けられた両側壁部５ｂ，５ｂと、を備えている。また、上レール５は、これら両側壁部５ｂ，５ｂの下端縁から互いに向き合う方向に突出する案内片５ｃ，５ｃを備えている。
コーナー部７は、二本の直線レール部６，６を略直角に接続する態様とされ、これら二本の直線レール部６，６側及び下方側に向けて開口する形状とされている。なお、コーナー部７としては、二本の直線レール部６，６を略直角に接続する態様に限られず、これらのなす角が鋭角または鈍角となるように接続する態様としてもよい。図例では、コーナー部７の両側壁部５ｂ，５ｂを、間仕切パネル１の上ガイド部２０がスムーズに移動するように湾曲形状（Ｒ形状）とした例を示している（図４及び図５も参照）。
【００１６】
交差部８は、四本の直線レール部６，６，６，６を略直交させるように接続する態様とされている。この交差部８は、下方側に向けて開口し、かつ四周側部のそれぞれに各直線レール部６側に向けて開口する開口を設けた形状とされている。なお、交差部８としては、四本の直線レール部６を略直交させるように接続する態様に限られず、これらを交差させて接続する態様であればよい。
なお、これら上レール５の直線レール部６、コーナー部７及び交差部８は、一体的に形成されたものとしてもよく、別体とされたものとし、溶接や締結具等によって接続されるものとしてもよい。
【００１７】
図６では、これら直線レール部６、コーナー部７及び交差部８を組み合わせた上レール５を、天井２に沿わせるように配設し、複数枚（図例では、６枚）の間仕切パネル１によって、２種の間仕切パターンで室内空間を間仕切可能とした例を示している。
図６（ａ）では、室内空間を区画する隣接する壁体４，４の一方側（図示左側）の壁体４から一枚の間仕切パネル１のパネル幅寸法を略隔てるようにして、この壁体４と略平行に五枚の間仕切パネル１を横並び状に配設した例を示している。また、これら五枚からなる間仕切パネルの集合体の一端を、一方側の壁体４から直交方向に配設された一枚の間仕切パネル１に当接させ、他端を、他方側の壁体４に当接させて、平面視して略長方形状の空間を間仕切した例を示している。
【００１８】
図６（ｂ）では、それぞれの壁体４，４から直交方向に向けて三枚の間仕切パネル１をそれぞれ横並び状に配設した例を示している。また、これら三枚からなる間仕切パネルの集合体の一端同士を略直角に突き合わせるようにして配設し、平面視して略正方形状の空間を間仕切した例を示している。
このように本実施形態に係る間仕切パネル１を備えた間仕切装置９によれば、室内空間に相異なる２つの小部屋を形成するように間仕切可能とし、これらを状況に応じて形成することで収納室や個室、会議室等として利用することができる。
【００１９】
なお、上記した複数枚の間仕切パネル１のうちの少なくとも一枚に、扉部等を設けた態様としてもよい。
また、本実施形態では、間仕切パネル１の厚さ方向に沿って一列の上レール５を設け、隣り合う間仕切パネル１の側端面同士を突き合わせるように横並びに配設した例を示しているが、このような態様に限られない。例えば、間仕切パネル１の厚さ方向に沿って二列の上レール５を設けた態様としてもよい。この場合には、隣り合う間仕切パネル１の側端部同士を厚さ方向に重ね合わせるようにして引き違い状に横並びに配設するようにしてもよい。これによれば、例えば、いずれかの間仕切パネル１をスライドさせることで、間仕切された空間（小部屋）の出入口として利用することができる。
【００２０】
また、上レール５としては、三本の直線レール部６，６，６を、Ｔ字路を形成するように接続するＴ字路部を上記したコーナー部７及び交差部８の一方若しくは両方に代えて、または加えて備えたものとしてもよい。
また、上記した間仕切パターンは、一例であり、上レール５の各部６，７，８等を適宜、組み合わせ、それに応じた枚数の間仕切パネル１を配設することで、種々の間仕切パターンを形成することができる。また、複数種の間仕切パターンの形成が可能な態様に代えて、または加えて、室内空間の一箇所において複数枚の間仕切パネル１を厚さ方向に重ねるようにして集合若しくは収容させるような態様としてもよい。また、間仕切装置９としては、一列や二列の上レール５を備えたものに限られず、三列以上の上レール５を備えたものとしてもよい。
【００２１】
次に、本実施形態に係る間仕切パネル１の具体的構成の一例について説明する。
本実施形態に係る間仕切パネル１は、図１及び図２に示すように、パネル本体１０を備えている。また、間仕切パネル１は、このパネル本体１０のパネル幅方向両側の上方側にそれぞれ配設された一対の上ガイド部２０，２０と、このパネル本体１０のパネル幅方向両側の下方側にそれぞれ配設された一対の下ガイド部３０，３０と、を備えている。また、間仕切パネル１は、これらパネル幅方向両側の各上ガイド部２０，２０と各下ガイド部３０，３０とをパネル本体１０に対して垂線廻りに回動可能に連結するパネル幅方向両側の一対の連結部材１６，１６を備えている。
パネル本体１０は、略矩形平板状とされており、本実施形態では、上下に長尺とされたパネル本体１０を例示している。
【００２２】
一対の連結部材１６，１６は、図１に示すように、互いに左右反転させたような構成とされ、略同一の構成とされている。
本実施形態では、これら連結部材１６，１６を、上端部が各上ガイド部２０，２０に連結され、下端部が各下ガイド部３０，３０に連結され、パネル本体１０に対してそれぞれ垂線廻りに回動自在に支持された棒状連結部材１６，１６としている。
これら棒状連結部材１６，１６は、上下に長尺棒状（ロッド状）とされている。本実施形態では、これら棒状連結部材１６，１６のそれぞれの上端側に設けられた上ガイドブロック１８，１８に、各上ガイド部２０，２０を設けている（図３も参照）。また、これら棒状連結部材１６，１６のそれぞれの下端側に設けられた下ガイドブロック１９，１９に、各下ガイド部３０，３０を設けている（図３（ａ）も参照）。
【００２３】
各棒状連結部材１６，１６は、本実施形態では、図１及び図３に示すように、上下に長尺の丸棒状とされ、パネル本体１０の両側端部（図例では、両側端面）１１，１１に沿うようにそれぞれ設けられている。また、各棒状連結部材１６，１６は、パネル本体１０の両側端部１１，１１のそれぞれに設けられたロッド受部１２，１２によってパネル本体１０に対して垂線廻りに回動可能に支持されている。図例では、複数のロッド受部１２を、パネル本体１０の両側端部１１，１１に上下に間隔を空けてそれぞれに設けた例を示している。
なお、図示は省略しているが、各棒状連結部材１６，１６を、パネル本体１０に対して上下動不能とするストッパー部が設けられている。このようなストッパー部としては、例えば、棒状連結部材１６の外周に固定的に設けられ、ロッド受部１２の上面や下面等に当接されるリング状部や突起部等としてもよい。
【００２４】
上ガイドブロック１８は、当該間仕切パネル１がパネル幅方向に沿って移動される直進状態（図２（ａ）に示す状態）におけるパネル幅方向に沿って細長状で、上下に比較的に薄い略平板形状とされている。図例では、この上ガイドブロック１８と棒状連結部材１６の上端部とを、棒状連結部材１６の上端側に同軸状に設けられた上ガイドブロック軸１８ａを介して連結した例を示している。この上ガイドブロック軸１８ａは、上ガイドブロック１８の直進状態におけるパネル幅方向外方側端部の下面のパネル厚さ方向略中心から下方側に向けて突出し、かつ上ガイドブロック１８に固定的に設けられている（図３も参照）。
【００２５】
なお、この上ガイドブロック軸１８ａは、詳細な説明は省略するが、棒状連結部材１６に対して上下動可能にかつ垂線廻りに回動不能に連結されている。このような構造としては、例えば、中空筒状とされた棒状連結部材１６の上端開口から挿入された上ガイドブロック軸１８ａの外周に突起を設け、この突起を上下動可能にかつ軸廻りに回動不能にガイドする上下に長尺の長孔を棒状連結部材１６に設けた構造としてもよい（図３参照）。また、この上ガイドブロック軸１８ａは、棒状連結部材１６に対して上方または下方に向けて付勢されている。このような構造としては、棒状連結部材１６に挿入された上ガイドブロック軸１８ａを、上方または下方に向けて付勢する圧縮コイルばねや引張コイルばね等を棒状連結部材１６内に設けた構造としてもよい。このような態様とすることで、上ガイドブロック１８に設けられた上ガイド部２０が棒状連結部材１６（つまりは、パネル本体１０）に対して上方または下方に向けて付勢されることとなる。この結果、天井２や床３の不陸、上レール５の施工誤差等に起因して床３から上レール５までの高さ寸法が上レール５の長手方向に沿って一定でないような場合にも上ガイド部２０が上レール５から外れるようなことを抑制することができる。また、これにより、間仕切パネル１を安定的に移動させることができる。なお、このような構造を設けないようにしてもよい。
【００２６】
下ガイドブロック１９は、直進状態におけるパネル幅方向に沿って細長状で、上下に比較的に薄い略平板形状とされている。図例では、この下ガイドブロック１９と棒状連結部材１６の下端部とを、棒状連結部材１６の下端側に同軸状に設けられた下ガイドブロック軸１９ａを介して連結した例を示している。この下ガイドブロック軸１９ａは、下ガイドブロック１９の直進状態におけるパネル幅方向外方側端部の上面のパネル厚さ方向略中心から上方側に向けて突出し、かつ下ガイドブロック１９に固定的に設けられている（図３（ａ）も参照）。なお、この下ガイドブロック軸１９ａも上記した上ガイドブロック軸１８ａと略同様、棒状連結部材１６に対して上下動可能にかつ垂線廻りに回動不能に連結されている。また、下ガイドブロック軸１９ａは、上ガイドブロック軸１８ａと略同様、棒状連結部材１６に対して下方に向けて付勢されている。このような構造としては、上記と概ね同様の構造を採用するようにしてもよい。このような態様とすることで、上記と略同様、床３から上レール５までの高さ寸法が上レール５の長手方向に沿って一定でないような場合にも、間仕切パネル１を安定的に移動させることができる。なお、このような構造を設けないようにしてもよい。
【００２７】
上記構成とされた一対の棒状連結部材１６，１６の上下に設けられたそれぞれの上下のガイドブロック１８，１８，１９，１９は、直進状態では、図１及び図２（ａ）に示すように、長手方向をパネル幅方向に沿わせるように配設される。また、各棒状連結部材１６，１６を回動支点としてパネル本体１０に対して回動された際には、それぞれの上下のガイドブロック１８，１８，１９，１９の直進状態におけるパネル幅方向内方側端部側がパネル本体１０の厚さ方向一方側または他方側に突出するように配設される（図２（ｂ）、図４及び図５参照）。
【００２８】
また、本実施形態では、図１及び図３に示すように、直進状態から回動された棒状連結部材１６を、直進状態側に向けて復帰させるように付勢する付勢部材１３を備えている。
図例では、付勢部材１３を、複数のロッド受部１２のうちの少なくとも一つのロッド受部（図例では、最上段のロッド受部）１２の上面側に設けた板ばねとしている。また、棒状連結部材１６のパネル厚さ方向両側に、付勢部材１３，１３をそれぞれに設けた例を示している。棒状連結部材１６には、これら両側の付勢部材１３，１３に当接される突起部１７が設けられている。この突起部１７は、付勢部材１３，１３が設けられた上下位置に応じて棒状連結部材１６に設けられており、図例では、棒状連結部材１６の上端部に突起部１７を設けた例を示している。また、この突起部１７は、直進状態におけるパネル幅方向外方側に向けて突出するように、棒状連結部材１６に設けられており、図例では、この突起部１７をねじ状とした例を示している。
このような構成により、突起部１７が一方の付勢部材１３に当接し、この付勢部材１３の弾性変形を伴い棒状連結部材１６が直進状態から一方側に回動されれば、この付勢部材１３の復元力によって棒状連結部材１６が直進状態側に復帰するように付勢されることとなる。
【００２９】
また、本実施形態では、上記した各棒状連結部材１６，１６をそれぞれに覆うカバー１４，１４を、パネル幅方向両側に設けている。これらカバー１４，１４は、図１及び図２に示すように、上下寸法がパネル本体１０の上下寸法と略同寸とされ、パネル本体１０の両側端部１１，１１にそれぞれ取り付けられる。
また、各カバー１４，１４は、パネル幅方向内方側に向けて開口した形状とされ、上記した各ロッド受部１２や各棒状連結部材１６，１６、上下のガイドブロック軸１８ａ，１９ａを収容するように略覆う形状とされている。
上下のガイドブロック１８，１８，１９，１９は、パネル本体１０に対して上記のように回動変位可能なように、各カバー１４，１４の上下の開口からそれぞれ上下に露出するように設けられている。また、上下のガイドブロック１８，１８，１９，１９は、直進状態において、各カバー１４，１４のパネル幅方向外方側に突出しないように、各カバー１４，１４のパネル幅方向外側端面よりもパネル幅方向内方側に控えた位置とされる。
【００３０】
また、各カバー１４，１４には、図２に示すように、手掛部１５，１５が設けられている。図２では、各カバー１４，１４のパネル厚さ方向一方側の手掛部１５，１５のみを図示しているが、各カバー１４，１４のパネル厚さ方向他方側にも同様の手掛部１５，１５が設けられている。なお、上記のような付勢部材１３，１３を設けた態様に代えて、または加えて、各棒状連結部材１６，１６に当該棒状連結部材１６，１６を垂線廻りに回動させる操作片等の操作部を設けるようにしてもよい。そして、この操作部を、各カバー１４，１４の手掛部１５，１５を介して操作可能とした態様としてもよい。また、各棒状連結部材１６，１６を垂線廻りに回動させる操作部としては、このような態様に限られず、下ガイドブロック１９，１９等を操作部として把握するようにしてもよい。また、各カバー１４，１４に手掛部１５，１５を設けないようにしてもよい。
【００３１】
一対の上ガイド部２０，２０は、図１及び図２（ａ）に示すように、互いに左右反転させたような構成とされ、略同一の構成とされている。本実施形態では、図１及び図３に示すように、これら上ガイド部２０，２０を、上述のように各棒状連結部材１６，１６の上端側に連結された各上ガイドブロック１８，１８に設けている。
また、これら上ガイド部２０，２０は、当該間仕切パネル１の移動を伴い上レール５に沿って移動する際に上レール５に移動方向が規制されて各棒状連結部材１６，１６の回動を規制する規制部２１，２５，２１，２５をそれぞれに有している。
本実施形態では、これら上ガイド部２０，２０の規制部を、上レール５の両側壁部５ｂ，５ｂにそれぞれが規制される第１規制部２１，２１と第２規制部２５，２５とをそれぞれに備えた構造としている。また、これら上ガイド部２０，２０は、これら第１規制部２１，２１と第２規制部２５，２５とを直進状態におけるパネル幅方向に沿って間隔を空けてそれぞれに設けた構造とされている。また、本実施形態では、これら上ガイド部２０，２０は、第１規制部２１，２１のパネル幅方向内方側（パネル本体１０の幅方向中心側）に、第２規制部２５，２５をそれぞれに設けた構造とされている。
【００３２】
また、本実施形態では、第１規制部２１を、上レール５に収容され、当該間仕切パネル１の移動を伴い上レール５の内面に当接されて回転するローラー２４を有した第１ローラー部２１としている。
第１ローラー部２１は、上ガイドブロック１８の直進状態におけるパネル幅方向略中央部位の上面側に設けられている。
この第１ローラー部２１は、上ガイドブロック１８に対して天井２及び床３に略垂直な垂線廻り（水平面域方向）に回動自在とされたローラー２４と、このローラー２４を回動自在に支持する垂直軸２２と、を備えている。
【００３３】
垂直軸２２は、図１及び図３に示すように、上ガイドブロック１８の直進状態におけるパネル厚さ方向略中心の上面から上方側に向けて突出するように設けられている。この垂直軸２２の基端部２３は、上ガイドブロック１８に設けられた軸受部に固定的に保持されている。なお、ローラー２４を、垂線廻りに回動自在とする態様としては、このような態様に代えて、ローラー２４に固定的に垂直軸２２を連結し、この垂直軸２２を、上ガイドブロック１８の軸受部に回転自在に保持させる態様としてもよい。
ローラー２４は、図３に示すように、略円盤形状（略扁平円筒形状）とされており、当該間仕切パネル１の移動を伴い、その外周面が上レール５の両側壁部５ｂ，５ｂの一方に当接されて垂線廻りに回動する。このローラー２４の外径寸法は、図３（ａ）に示すように、上レール５の両側壁部５ｂ，５ｂ間の寸法に応じた寸法とされている。本実施形態では、ローラー２４の外径寸法を、ローラー２４の外周面が上レール５の両側壁部５ｂ，５ｂに僅かなクリアランスを隔てて近接対面するような寸法としている（図４及び図５も参照）。
【００３４】
また、本実施形態では、第２規制部２５を、上レール５に収容され、当該間仕切パネル１の移動を伴い上レール５の内面に当接されて回転するローラー２７，２９を有した第２ローラー部２５としている。
第２ローラー部２５は、上ガイドブロック１８の直進状態におけるパネル幅方向内方側端部の上面側に設けられている。また、この第２ローラー部２５は、上ガイドブロック１８の直進状態におけるパネル厚さ方向略中心の上面から上方側に向けて突出するように設けられたローラー台座部２６を備えている。
また、本実施形態では、第２ローラー部２５に、天井２及び床３に略水平な水平線廻り（垂直面域方向）に回動自在とされた水平軸ローラー２７と、垂線廻りに回動自在とされた垂直軸ローラー２９と、を設けている。図例では、ローラー台座部２６のパネル厚さ方向両側に、水平軸ローラー２７，２７及び垂直軸ローラー２９，２９をそれぞれに設けた例を示している。
【００３５】
各水平軸ローラー２７，２７は、ローラー台座部２６のパネル厚さ方向両側からパネル厚さ方向外方側に向けて突出するように設けられた水平軸部２８，２８（図３（ｂ）参照）に、水平線廻りに回動自在に支持されている。これら水平軸ローラー２７，２７は、図１及び図３（ａ）に示すように、それぞれ略円盤形状（略扁平円筒形状）とされており、当該間仕切パネル１の移動を伴い、各外周面が上レール５の天壁部５ａ及び案内片５ｃ，５ｃの一方に当接されて各水平軸部２８，２８廻りに回動する。これら水平軸ローラー２７，２７の外径寸法は、上レール５の天壁部５ａと案内片５ｃ，５ｃとの間の寸法に応じた寸法とされている。本実施形態では、これら水平軸ローラー２７，２７の外径寸法を、各水平軸ローラー２７，２７の外周面が上レール５の天壁部５ａ及び案内片５ｃ，５ｃに僅かなクリアランスを隔てて近接対面するような寸法としている。
【００３６】
各垂直軸ローラー２９，２９は、各水平軸部２８，２８の突出方向先端部に形成された凹所に嵌め込まれるように設けられており、各水平軸部２８，２８を上下に貫通するようにそれぞれ設けられた垂直軸廻りに回動自在とされている。これら垂直軸ローラー２９，２９は、それぞれ略円盤形状（略扁平円筒形状）とされている（図３（ｂ）参照）。また、これら垂直軸ローラー２９，２９は、それぞれの外周面が上レール５の各側壁部５ｂ，５ｂに僅かなクリアランスを隔てて近接対面するように設けられている（図４及び図５も参照）。また、これら垂直軸ローラー２９，２９は、当該間仕切パネル１の移動を伴い上レール５の各側壁部５ｂ，５ｂにそれぞれの外周面が当接されて上記垂直軸廻りに回動する。なお、これら垂直軸ローラー２９，２９のそれぞれをパネル厚さ方向外方側に向けてそれぞれに付勢するばね等の付勢部材を設けるようにしてもよい。また、本実施形態では、第２ローラー部２５に、水平軸ローラー２７，２７及び垂直軸ローラー２９，２９を設けた例を示しているが、これらのうちの一方のみを設けるようにしてもよい。水平軸ローラー２７，２７のみを設けた場合には、これら水平軸ローラー２７，２７のパネル厚さ方向外方側側面が、上レール５の両側壁部５ｂ，５ｂに近接するように設けるようにしてもよい。
【００３７】
上記構成とされた上ガイド部２０は、当該間仕切パネル１の移動を伴い上レール５に沿って移動する際に、第１ローラー部２１及び第２ローラー部２５が上レール５の両側壁部５ｂ，５ｂに規制され、その移動方向が規制される。また、この上ガイド部２０の移動方向が上レール５に規制されることで、上ガイドブロック１８に上端側が連結された棒状連結部材１６のパネル本体１０に対する回動が規制される。
また、上記構成とされた上ガイド部２０を備えた間仕切パネル１は、図１及び図３（ａ）に示すように、上レール５に各ローラー部２１，２５の各ローラー２４，２７，２９が収容され、当該間仕切パネル１の立設状態の維持がなされる。また、図６を参照して説明した上レール５のコーナー部７や交差部８等の部位において当該間仕切パネル１の方向転換がなされる際には、各ローラー部２１，２５の各ローラー２４，２７，２９がコーナー部７や交差部８内を移動し、上端部側の外れが抑制される。なお、直進状態におけるパネル幅方向に沿って間隔を空けて設けられた第１ローラー部２１と第２ローラー部２５との間隔は、図４及び図５に示すように、当該間仕切パネル１の方向転換がなされる際に、コーナー部７や交差部８等において上レール５内を移動可能なように適宜、設定するようにしてもよい。
【００３８】
また、本実施形態では、上ガイド部２０の規制部を、ローラー２４，２７，２９を備えた構造としている。従って、これらローラー２４，２７，２９が上レール５の内面（天壁部５ａの下面や側壁部５ｂの内側面、案内片５ｃの上面）に当接されて回転し、当該間仕切パネル１の上端部側のガイドがスムーズになされる。
なお、この上ガイド部２０の各ローラー２４，２７，２９は、耐摩耗性や摺動性に比較的に優れた金属系材料や硬質の合成樹脂系材料から形成されたものとしてもよい。
また、本実施形態では、上ガイド部２０の第１ローラー部２１のパネル幅方向内方側に第２ローラー部２５を設けた構造とした例を示しているが、これらを逆側に設けるようにしてもよい。つまり、第１ローラー部２１のパネル幅方向外方側に第２ローラー部２５を設けた構造としてもよい。
また、本実施形態では、第１規制部２１及び第２規制部２５の両方を、当該間仕切パネル１の移動を伴い上レール５の内面に当接されて回転するローラー２４，２７，２９を備えたものとした例を示しているが、このような態様に限られない。例えば、第１規制部２１及び第２規制部２５の両方または一方に、ローラーを設けないようにしてもよい。この場合は、ローラーに代えて、当該間仕切パネル１の移動を伴い上レール５の内面に当接されて摺るように移動するブロック状の規制部としてもよい。
【００３９】
一対の下ガイド部３０，３０は、図１及び図２（ａ）に示すように、互いに左右反転させたような構成とされ、略同一の構成とされている。本実施形態では、図１及び図３（ａ）に示すように、これら下ガイド部３０，３０を、上述のように各棒状連結部材１６，１６の下端側に連結された各下ガイドブロック１９，１９に設けている。
また、これら下ガイド部３０，３０は、走行方向が自在とされた自在キャスター３１，３１と、当該間仕切パネル１の直進状態において走行方向がパネル幅方向に沿う方向とされる固定キャスター３６，３６と、をそれぞれに備えている。また、これら下ガイド部３０，３０は、これら自在キャスター３１，３１と、固定キャスター３６，３６と、を直進状態におけるパネル幅方向に沿って間隔を空けてそれぞれに設けた構造とされている。
本実施形態では、これら下ガイド部３０，３０は、各固定キャスター３６，３６のパネル幅方向外方側に各自在キャスター３１，３１を設けた構造とされている。
【００４０】
自在キャスター３１は、下ガイドブロック１９の直進状態におけるパネル幅方向外方側端部の下面側に設けられている。本実施形態では、この自在キャスター３１を、上記した上ガイド部２０の各ローラー部（規制部）２１，２５よりも下ガイドブロック１９の直進状態におけるパネル幅方向外方側に位置するように設けている。
この自在キャスター３１は、下ガイドブロック１９に対して天井２及び床３に略垂直な垂線廻り（水平面域方向）に回動自在とされた転動輪ブラケット３２を備えている。この転動輪ブラケット３２と下ガイドブロック１９とは、下ガイドブロック１９に対して垂線廻りに転動輪ブラケット３２を回動自在に連結するブラケット軸３３によって連結されている。ブラケット軸３３は、図１及び図３（ａ）に示すように、下ガイドブロック１９の直進状態におけるパネル厚さ方向略中心に設けられた軸受部に回動自在に保持されている。なお、転動輪ブラケット３２を、垂線廻りに回動自在とする態様としては、このような態様に限られない。例えば、下ガイドブロック１９の下面に下方側に向けて突出するブラケット軸を固定的に設け、このブラケット軸を回動自在に保持する軸受部を転動輪ブラケット３２側に設けた態様としてもよい。
【００４１】
また、自在キャスター３１は、床３上を転動する転動輪（車輪）３５を備えている。図例では、転動輪ブラケット３２のパネル厚さ方向両側に、転動輪３５，３５をそれぞれに設けた例を示している。これら転動輪３５，３５は、転動輪ブラケット３２に設けられた水平軸３４廻りに回動自在とされている。
上記構成とされた自在キャスター３１は、当該間仕切パネル１の移動を伴い各転動輪３５，３５が水平軸３４廻りに回動して床３上を走行する。また、自在キャスター３１は、転動輪３５，３５を支持する転動輪ブラケット３２が下ガイドブロック１９に対してブラケット軸３３廻りに回動することで転動輪３５，３５の走行方向の転換が自在になされる。
なお、走行方向が自在とされた自在キャスター３１としては、上記のような水平軸３４廻りに回動自在とされた転動輪３５，３５を有したものに限られず、例えば、ボール状の転動体を有したボールキャスターなどとしてもよい。
【００４２】
固定キャスター３６は、下ガイドブロック１９の直進状態におけるパネル幅方向内方側端部の下面側に設けられている。本実施形態では、この固定キャスター３６を、上記した上ガイド部２０のパネル幅方向内方側のローラー部（第２ローラー部、第２規制部）２５の略直下に位置するように設けている。また、本実施形態では、上ガイド部２０のパネル幅方向外方側のローラー部（第１ローラー部、第１規制部）２１を、自在キャスター３１と固定キャスター３６との略中央部位の略直上に位置するように設けている。
【００４３】
この固定キャスター３６は、下ガイドブロック１９の直進状態におけるパネル厚さ方向略中心の下面から下方側に向けて突出するように固定的に設けられた転動輪ブラケット３７を備えている。また、固定キャスター３６は、床３上を転動する転動輪（車輪）３９を備えている。図例では、転動輪ブラケット３７のパネル厚さ方向両側に、転動輪３９，３９をそれぞれに設けた例を示している（図２（ｂ）、図４及び図５も参照）。これら転動輪３９，３９は、転動輪ブラケット３７に設けられた水平軸３８廻りに回動自在とされている。この水平軸３８は、その軸方向が下ガイドブロック１９の直進状態においてパネル厚さ方向に沿う方向とされる。つまり、固定キャスター３６（転動輪３９，３９）の走行方向は、直進状態においてパネル幅方向に沿う方向とされる。
【００４４】
また、この固定キャスター３６の走行方向は、上ガイド部２０の移動方向と略同方向となるように規制される。
つまり、棒状連結部材１６の上端側の上ガイドブロック１８に設けられた上ガイド部２０の各ローラー部（規制部）２１，２５が当該間仕切パネル１の移動を伴い上レール５の両側壁部５ｂ，５ｂに規制され、棒状連結部材１６の回動が規制される。これにより、棒状連結部材１６の下端側に連結された下ガイドブロック１９に設けられた固定キャスター３６の走行方向が上ガイド部２０の移動方向と略同方向となるように規制される。つまりは、棒状連結部材１６は、上ガイド部２０と下ガイド部３０とを連結し、上ガイド部２０の移動方向に下ガイド部３０の固定キャスター３６の走行方向を追従させるようにして略同方向となるように規制する。
【００４５】
次に、上記構成とされた間仕切パネル１を方向転換させる際の動作の一例について、図４及び図５を参照して説明する。なお、以下の動作説明では、当該間仕切パネル１の移動方向を基準として、移動方向先側を移動方向前方側、その逆側を移動方向後方側として原則的に説明する。
図４（ａ）では、上レール５の直線レール部６に上ガイド部２０，２０がガイドされて、パネル幅方向に沿う方向に移動された間仕切パネル１の移動方向前方側の上ガイド部２０が上レール５のコーナー部７に至った状態を示している。この状態では、各上ガイド部２０，２０の各ローラー部２１，２５が直線レール部６の両側壁部５ｂ，５ｂに規制され、上下のガイドブロック１８，１８，１９，１９が長手方向をパネル幅方向に沿わせるように配設された直進状態である。また、この状態では、各下ガイド部３０，３０の各キャスター３１，３６の走行方向もパネル幅方向に沿う方向とされる。つまり、上ガイド部２０が上レール５の両側壁部５ｂ，５ｂに規制されて棒状連結部材１６の回動が規制され、下ガイド部３０の固定キャスター３６の走行方向もパネル幅方向に沿う方向とされる。
【００４６】
次いで、図４（ｂ）に示すように、間仕切パネル１の移動方向前方側端部（移動方向前方側のカバー１４）を、間仕切パネル１の厚さ方向一方側（移動方向先の直線レール部６側）に押圧するようにして移動させる。これにより、移動方向前方側の上ガイド部２０の第１ローラー部２１が移動方向先の直線レール部６側に移動する。また、この第１ローラー部２１の移動を伴い、図４（ｂ）、（ｃ）に示すように、この第１ローラー部２１及び第２ローラー部２５がコーナー部７の両側壁部５ｂ，５ｂに規制され、これらが設けられた上ガイドブロック１８に上端側が連結された棒状連結部材１６がパネル本体１０に対して回動する。また、これにより、棒状連結部材１６の下端側に連結された下ガイドブロック１９も回動し、この下ガイドブロック１９の固定キャスター３６の走行方向が移動方向前方側の上ガイド部２０の移動方向と略同方向となるように転換される。また、この下ガイドブロック１９の自在キャスター３１も下ガイドブロック１９の移動を伴い、走行方向が自在に転換する。
【００４７】
また、上記のような移動を伴い、間仕切パネル１は、図４（ｂ）、（ｃ）に示すように、そのパネル幅方向が、直線レール部６の長手方向に沿う状態とならずに斜め状態となる。この際、移動方向後方側の棒状連結部材１６もパネル本体１０に対して回動する。つまり、パネル本体１０は、直線レール部６に対して斜め状態となるが、移動方向後方側の上ガイド部２０の第１ローラー部２１及び第２ローラー部２５が直線レール部６の両側壁部５ｂ，５ｂに規制され、上ガイドブロック１８が直進状態に維持される。つまりは、上ガイドブロック１８がその長手方向を直線レール部６の長手方向に沿わせた直進状態に維持される。このため、間仕切パネル１の方向転換を伴い、移動方向後方側の棒状連結部材１６がパネル本体１０に対して回動し、移動方向後方側の下ガイドブロック１９も直進状態に維持される。また、この下ガイドブロック１９の固定キャスター３６の走行方向が上ガイド部２０の移動方向と略同方向とされる。
また、図５（ａ）に示すように、更なる間仕切パネル１の移動がなされる際にも、移動方向前方側の上下のガイド部２０，３０は、移動方向先の直線レール部６の長手方向に走行方向を沿わせて安定的に移動する。また、移動方向後方側の上下のガイド部２０，３０は、移動方向元の直線レール部６の長手方向に走行方向を沿わせて安定的に移動する。
【００４８】
そして、移動方向後方側の上ガイド部２０の第２ローラー部２５がコーナー部７に至れば、パネル本体１０に対して回動した移動方向後方側の棒状連結部材１６が、上記した付勢部材１３（図１及び図３参照）の付勢によって直進状態側に復帰するように付勢される。これにより、図５（ｂ）に示すように、移動方向後方側の上ガイド部２０の第２ローラー部２５が、移動方向先の直線レール部６側に移動し、移動方向後方側の棒状連結部材１６がパネル本体１０に対して直進状態側に復帰するように回動する。これにより、この移動方向後方側の棒状連結部材１６の下端側に連結された下ガイドブロック１９も回動し、この下ガイドブロック１９の固定キャスター３６の走行方向が移動方向後方側の上ガイド部２０の移動方向と略同方向となるように転換される。
【００４９】
上記のような各部の動作により、図５（ｃ）に示すように、当該間仕切パネル１は、移動方向元の直線レール部６からコーナー部７を介して移動方向先の直線レール部６に方向転換がなされる。そして、間仕切パネル１の更なる移動を伴えば、パネル幅方向両側の上下の各ガイド部２０，２０，３０，３０の走行方向が移動方向先の直線レール部６の長手方向に沿う状態となる。
なお、本動作例では、上レール５のコーナー部７における間仕切パネル１の方向転換の一例について説明したが、上レール５の交差部８やＴ字路部等においても同様に方向転換がなされる。
【００５０】
本実施形態に係る間仕切パネル１によれば、上記のように、床３上を走行する下ガイド部３０，３０をパネル幅方向両側の下端部に設けているので、当該間仕切パネル１の荷重をこれら下ガイド部３０，３０で受けることができる。従って、上レール５を強固に天井２側に固定する必要性が低減され、天井２側に取付下地を設けたり、補強工事等をしたりする必要性が低減され、例えば、当該間仕切パネル１の上端部側をガイドさせる上レール５を直付け的に天井２に設置することもできる。また、床３側にガイドレール等を敷設する必要がなく、床面に段差等が形成されず、設置対象を簡易な構造とできる。
【００５１】
また、本実施形態に係る間仕切パネル１によれば、安定して移動させることができる。
つまり、上記のように、間仕切パネル１をパネル幅方向に沿って移動させる際には、各上ガイド部２０，２０の規制部２１，２５，２１，２５がパネル幅方向と同方向である上レール５の長手方向に沿って移動する。また、各上ガイド部２０，２０にそれぞれ連結部材（棒状連結部材）１６，１６によって連結された各下ガイド部３０，３０の固定キャスター３６，３６は、その走行方向がパネル幅方向に沿う方向に規制される。この結果、各固定キャスター３６，３６の斜行等が抑制され、当該間仕切パネル１の下振れ等が抑制され、当該間仕切パネル１を安定して移動（直進）させることができる。また、上レール５のコーナー部７や交差部８等において当該間仕切パネル１の方向転換がなされる際にも、上レール５に沿って移動する各上ガイド部２０，２０の移動方向に連動するように各下ガイド部３０，３０の固定キャスター３６，３６の走行方向が略同方向となるように規制される。また、各下ガイド部３０，３０は、このように規制される固定キャスター３６，３６と走行方向が自在とされた自在キャスター３１，３１とをそれぞれに備えているので、言わば４点で当該間仕切パネル１が支持された状態となり、当該間仕切パネル１を安定して方向転換させることができる。
【００５２】
また、本実施形態では、一対の上ガイド部２０，２０の規制部を、上レール５の両側壁部５ｂ，５ｂにそれぞれが規制される第１規制部２１，２１と第２規制部２５，２５とを直進状態におけるパネル幅方向に沿って間隔を空けてそれぞれに設けた構造としている。従って、上レール５に対する各上ガイド部２０，２０の移動方向の規制が比較的に確実になされ、当該間仕切パネル１をより安定的に移動させることができる。また、上記構成によれば、上記したように間仕切パネル１を方向転換させる際に、間仕切パネル１の移動方向前方側の側端部を移動先側に向けて押すように移動させることで、移動方向前方側の上ガイド部２０の移動方向をスムーズに方向転換させることができる。
【００５３】
また、本実施形態では、直進状態から回動された各棒状連結部材１６，１６を、直進状態側に向けて復帰させるように付勢する付勢部材１３，１３を設けている。従って、上記したように、移動方向後方側の上ガイド部２０の移動方向をスムーズに方向転換させることができる。また、特に、上レール５の両側壁部５ｂ，５ｂによる規制を受けて上ガイド部２０の方向転換がなされ難い上レール５の交差部８等においても上ガイド部２０を移動方向先側に向けてスムーズに方向転換させることができる。
【００５４】
また、本実施形態では、一対の下ガイド部３０，３０を、各固定キャスター３６，３６のパネル幅方向外方側に各自在キャスター３１，３１を設けた構造としている。従って、当該間仕切パネル１の移動方向前方側の下ガイド部３０の移動方向前方側に、自在キャスター３１が位置することとなり、上レール５のコーナー部７や交差部８等において間仕切パネルを方向転換させる際に、比較的にスムーズに方向転換させることができる。
【００５５】
また、本実施形態では、一対の連結部材１６，１６を、棒状連結部材１６，１６とし、各棒状連結部材１６，１６をそれぞれに覆うカバー１４，１４をパネル幅方向両側に設けている。従って、連結部材を、後記する第２実施形態のように、パネル本体の両側に回動自在に連結された板状連結部材とした場合と比べて、目立ち難くすることができ、見栄えを向上させることができる。
【００５６】
次に、本発明に係る他の実施の形態について、図面を参照しながら説明する。
図７〜図１０は、第２実施形態に係る間仕切パネルの一例を模式的に示す図である。
なお、上記第１実施形態との相違点について主に説明し、同様の構成については、同一符号を付し、その説明を省略または簡略に説明する。また、上記第１実施形態と同様の動作についても、その説明を省略または簡略に説明する。また、本実施形態に係る間仕切パネル１Ａも上記第１実施形態と同様、図６を参照して説明したように、室内空間の天井２側に設置される上レール５とによって、間仕切装置９を構成する。
【００５７】
本実施形態に係る間仕切パネル１Ａは、パネル幅方向両側の各上ガイド部２０，２０と各下ガイド部３０，３０とをパネル本体１０に対して垂線廻りに回動可能に連結する連結部材の構成が上記第１実施形態とは主に異なる。
本実施形態では、図７及び図８に示すように、一対の連結部材４３，４３を、それぞれの上端部４６，４６に上ガイド部２０，２０をそれぞれ設け、それぞれの下端部４７，４７に下ガイド部３０，３０をそれぞれ設けた板状連結部材４３，４３としている。これら板状連結部材４３，４３は、パネル本体４０の幅方向両側に垂線廻りに回動自在に連結されている。これら板状連結部材４３，４３は、互いに左右反転させたような構成とされ、略同一の構成とされている。
【００５８】
パネル本体４０は、上記第１実施形態と概ね同様、略矩形平板状とされており、本実施形態では、上下に長尺とされたパネル本体４０を例示している。また、各板状連結部材４３，４３は、略矩形平板状とされており、本実施形態では、上下に長尺の略帯板状とされている。これら板状連結部材４３，４３は、パネル幅方向に沿う幅寸法がパネル本体４０の幅寸法よりも小さい寸法とされている。また、これら板状連結部材４３，４３は、上下寸法及び厚さ寸法がパネル本体４０の上下寸法及び厚さ寸法と略同寸法とされている（図９及び図１０も参照）。
これら板状連結部材４３，４３は、パネル本体４０に、それぞれ回動連結具４２，４２を介してパネル本体４０に対して垂線廻りに回動自在に連結されている。つまり、パネル本体４０のパネル幅方向の両側端部４１，４１に、それぞれ回動連結具４２，４２を介して板状連結部材４３，４３のパネル幅方向の内方側端部（パネル本体４０側端部）４４，４４が連結されている。これら回動連結具４２，４２としては、軸方向を上下方向（垂線方向）に沿わせた回動軸（ヒンジ軸）を備えたヒンジ状のものとしてもよい。図例では、各回動連結具４２，４２の回動軸を、パネル厚さ方向略中心に設けた例を示している（図９及び図１０も参照）。
【００５９】
また、パネル本体４０の両側端部４１，４１及び各板状連結部材４３，４３の各内方側端部４４，４４は、パネル本体４０に対して板状連結部材４３，４３が回動連結具４２，４２の回動軸廻りに回動した際に、互いに干渉しないような形状とされている。図例では、パネル本体４０の両側端部４１，４１を、平面視して、パネル幅方向外方側に向かうに従い先細り状の形状とした例を示している。また、各板状連結部材４３，４３の各内方側端部４４，４４を、平面視して、パネル本体４０側に向かうに従い先細り状の形状とした例を示している。
また、各板状連結部材４３，４３には、図８に示すように、手掛部４５，４５が設けられている。図８では、各板状連結部材４３，４３のパネル厚さ方向一方側の手掛部４５，４５のみを図示しているが、各板状連結部材４３，４３のパネル厚さ方向他方側にも同様の手掛部４５，４５が設けられている。なお、このような手掛部４５，４５を設けないようにしてもよい。
【００６０】
これら板状連結部材４３，４３の上下のそれぞれに設けられた上下のガイド部２０，２０，３０，３０は、上記第１実施形態と略同様の構成とされている。
板状連結部材４３の上端部４６に設けられた上ガイド部２０は、上記第１実施形態と略同様、第１ローラー部２１と、この第１ローラー部２１のパネル幅方向内方側に間隔を空けて配設された第２ローラー部２５とを備えた構造とされている。
第１ローラー部２１は、図７に示すように、板状連結部材４３のパネル幅方向略中央の上面側に設けられている。
第２ローラー部２５は、板状連結部材４３の内方側端部４４の上面側に設けられている。
【００６１】
板状連結部材４３の下端部４７に設けられた下ガイド部３０は、上記第１実施形態と略同様、自在キャスター３１と、この自在キャスター３１のパネル幅方向内方側に間隔を空けて配設された固定キャスター３６とを備えた構造とされている。
自在キャスター３１は、図７に示すように、板状連結部材４３のパネル幅方向外方側端部の下面側に設けられている。
固定キャスター３６は、板状連結部材４３の内方側端部４４の下面側に設けられている。
【００６２】
この板状連結部材４３の上端部４６に設けられた上ガイド部２０の移動方向が、上記第１実施形態と同様、上レール５に規制されることで、板状連結部材４３のパネル本体４０に対する回動が規制される。また、板状連結部材４３の下端部４７に設けられた下ガイド部３０の固定キャスター３６の走行方向は、上記第１実施形態と同様、上ガイド部２０の移動方向と略同方向となるように規制される。
また、この板状連結部材４３は、当該間仕切パネル１Ａの直進状態では、図８（ａ）に示すように、そのパネル幅方向を、パネル本体４０のパネル幅方向に沿わせた状態とされる。一方、間仕切パネル１Ａの方向転換がなされる際には、図８（ｂ）に示すように、板状連結部材４３がパネル本体４０に対して回動連結具４２廻りに回動し、そのパネル幅方向がパネル本体４０のパネル幅方向に沿う状態とならずに斜め状態となる。
【００６３】
次に、上記構成とされた間仕切パネル１Ａを方向転換させる際の動作の一例について、図９及び図１０を参照して説明する。なお、以下の動作説明では、上記第１実施形態と同様、当該間仕切パネル１Ａの移動方向を基準として、移動方向先側を移動方向前方側、その逆側を移動方向後方側として原則的に説明する。
図９（ａ）では、上レール５の直線レール部６に上ガイド部２０，２０がガイドされて、パネル幅方向に沿う方向に移動された間仕切パネル１Ａの移動方向前方側の上ガイド部２０が上レール５のコーナー部７に至った状態を示している。この状態では、上記第１実施形態と略同様、各上ガイド部２０，２０の各ローラー部２１，２５が直線レール部６の両側壁部５ｂ，５ｂに規制され、各板状連結部材４３，４３のパネル幅方向がパネル本体４０のパネル幅方向に沿う状態とされる。また、この状態では、各下ガイド部３０，３０の各キャスター３１，３６の走行方向もパネル幅方向に沿う方向とされる。つまり、上ガイド部２０が上レール５の両側壁部５ｂ，５ｂに規制されて板状連結部材４３の回動が規制され、下ガイド部３０の固定キャスター３６の走行方向もパネル幅方向に沿う方向とされる。
【００６４】
次いで、図９（ｂ）に示すように、間仕切パネル１Ａの移動方向前方側端部（移動方向前方側の板状連結部材４３の外方側端部）を、間仕切パネル１Ａの厚さ方向一方側（移動方向先の直線レール部６側）に押圧するようにして移動させる。これにより、移動方向前方側の上ガイド部２０の第１ローラー部２１が移動方向先の直線レール部６側に移動する。また、この第１ローラー部２１の移動を伴い、図９（ｂ）、（ｃ）に示すように、この第１ローラー部２１及び第２ローラー部２５がコーナー部７の両側壁部５ｂ，５ｂに規制され、これらが設けられた板状連結部材４３がパネル本体４０に対して回動する。また、これにより、板状連結部材４３の下端部４７に設けられた下ガイド部３０の固定キャスター３６の走行方向が移動方向前方側の上ガイド部２０の移動方向と略同方向となるように転換される。また、この下ガイド部３０の自在キャスター３１も板状連結部材４３の移動を伴い、走行方向が自在に転換する。
【００６５】
また、上記のような移動を伴い、間仕切パネル１Ａは、図９（ｂ）、（ｃ）に示すように、そのパネル幅方向が、直線レール部６の長手方向に沿う状態とならずに各回動連結具４２，４２を支点として屈曲した状態となる。この際、移動方向後方側の板状連結部材４３もパネル本体４０に対して回動する。つまり、パネル本体４０が直線レール部６に対して斜め状態となった際にも、移動方向後方側の上ガイド部２０の第１ローラー部２１及び第２ローラー部２５が直線レール部６の両側壁部５ｂ，５ｂに規制され、移動方向後方側の板状連結部材４３は直進状態に維持される。つまりは、間仕切パネル１Ａの方向転換を伴い、移動方向後方側の板状連結部材４３もパネル本体４０に対して回動し、移動方向後方側の板状連結部材４３が直進状態に維持される。これにより、移動方向後方側の板状連結部材４３の固定キャスター３６の走行方向が上ガイド部２０の移動方向と略同方向とされる。
また、図１０（ａ）に示すように、更なる間仕切パネル１Ａの移動がなされる際にも、移動方向前方側の上下のガイド部２０，３０は、移動方向先の直線レール部６の長手方向に走行方向を沿わせて安定的に移動する。また、移動方向後方側の上下のガイド部２０，３０は、移動方向元の直線レール部６の長手方向に走行方向を沿わせて安定的に移動する。
【００６６】
そして、移動方向後方側の上ガイド部２０の第２ローラー部２５がコーナー部７に至れば、図１０（ｂ）に示すように、移動方向後方側の板状連結部材４３の外方側端部を、間仕切パネル１Ａの厚さ方向他方側（移動方向元の直線レール部６から離間させる側）に押圧する（引っ張る）ようにして移動させる。これにより、この移動方向後方側の板状連結部材４３の上端部４６に設けられた上ガイド部２０がコーナー部７に沿って方向転換しながら、この板状連結部材４３がパネル本体４０に対して回動する。これにより、この板状連結部材４３の下端部４７の固定キャスター３６の走行方向が移動方向後方側の上ガイド部２０の移動方向と略同方向となるように転換される。
上記のような各部の動作により、図１０（ｃ）に示すように、当該間仕切パネル１Ａは、移動方向元の直線レール部６からコーナー部７を介して移動方向先の直線レール部６に方向転換がなされる。そして、間仕切パネル１Ａの更なる移動を伴えば、パネル幅方向両側の上下の各ガイド部２０，２０，３０，３０の走行方向が移動方向先の直線レール部６の長手方向に沿う状態となる。
なお、本動作例では、上レール５のコーナー部７における間仕切パネル１の方向転換の一例について説明したが、上レール５の交差部８やＴ字路部等においても同様に方向転換がなされる。
【００６７】
上記構成とされた本実施形態に係る間仕切パネル１Ａにおいても上記第１実施形態と概ね同様の効果を奏する。
また、本実施形態では、連結部材を、パネル本体４０の幅方向両側に垂線廻りに回動自在に連結された板状連結部材４３，４３としているので、上記した第１実施形態と比べて、特に間仕切パネル１Ａを方向転換させる際等に、直感的に移動させ易いものとなる。
また、板状連結部材４３の上端部４６及び下端部４７に直接的に上下のガイド部２０，３０を設けることができる。従って、上記第１実施形態と比べて、間仕切パネル１Ａの上端面と上レール５との間隔及び間仕切パネル１Ａの下端面と床３との間隔を小さくすることができる。つまりは、上記第１実施形態のように、パネル本体１０の上端面側において移動する上ガイドブロック１８やパネル本体１０の下端面側において移動する下ガイドブロック１９を設ける必要がないので、板状連結部材４３の上端部４６及び下端部４７に直接的に上下のガイド部２０，３０を設けることができる。また、これにより、上記第１実施形態と比べて、構造の簡略化を図ることができる。
【００６８】
なお、本実施形態に係る間仕切パネル１Ａに、上記第１実施形態において説明したような直進状態から回動された各板状連結部材４３，４３を、直進状態側に向けて復帰させるように付勢する付勢部材を設けるようにしてもよい。
また、上ガイド部２０の各ローラー部（規制部）２１，２５を、板状連結部材４３に対して上下動可能とし、板状連結部材４３に対して上方または下方に向けて付勢されたものとしてもよい。
また、下ガイド部３０の各キャスター３１，３６を、板状連結部材４３に対して上下動可能とし、板状連結部材４３に対して下方に向けて付勢されたものとしてもよい。
【００６９】
なお、上記各実施形態では、上ガイド部２０の規制部を、上レール５の両側壁部５ｂ，５ｂにそれぞれが規制される第１規制部２１と第２規制部２５とを直進状態におけるパネル幅方向に沿って間隔を空けて設けた構造としているが、このような態様に限られない。例えば、このような態様に代えて、上ガイド部２０に単一の規制部を設けた態様としてもよい。この場合は、例えば、上レール５の両側壁部５ｂ，５ｂに近接して対面される両側面を有したブロック状の規制部としてもよい。また、この場合は、ブロック状の規制部の上側や下側等に、垂線廻りに回動するローラー等を設けた構造としてもよい。また、この場合において、上記第１実施形態では、上記したような棒状連結部材１６を回動操作する操作部等を間仕切パネル１の適所に設けるようにしてもよい。
【００７０】
また、上記各実施形態では、下ガイド部３０を、固定キャスター３６のパネル幅方向外方側に自在キャスター３１を設けた構造としているが、このような態様に限られない。例えば、このような態様に代えて、下ガイド部３０を、自在キャスター３１のパネル幅方向外方側に固定キャスター３６を設けた態様としてもよい。この場合は、上記したような間仕切パネル１（１Ａ）の方向転換がなされる際に、下ガイド部３０の固定キャスター３６の走行方向が上ガイド部２０の移動方向とスムーズに略同方向となるように、これらのパネル幅方向に沿う配設位置等を適宜、設定するようにしてもよい。
さらに、下ガイド部３０の自在キャスター３１及び固定キャスター３６の両方または一方に、転動輪の水平軸廻りの回動を防止または抑制するストッパーを設けるようにしてもよい。または、このようなストッパーを下ガイド部３０のキャスターに設ける態様に代えて、パネル本体１０（４０）等に、当該間仕切パネル１（１Ａ）の下端側の移動を防止または抑制するストッパーを設けた態様としてもよい。
さらにまた、上記各実施形態では、下ガイド部３０の各キャスター３１，３６に複数の転動輪３５，３９を設けた例を示しているが、単一の転動輪を設けたものとしてもよい。
【符号の説明】
【００７１】
１，１Ａ    間仕切パネル
１０，４０  パネル本体
１４        カバー
１６        棒状連結部材
２０        上ガイド部
２１        第１ローラー部（第１規制部）
２５        第２ローラー部（第２規制部）
３０        下ガイド部
３１        自在キャスター
３６        固定キャスター
４３        板状連結部材
４６        上端部
４７        下端部
２          天井
５          上レール
５ｂ        側壁部
【図１】
2013189777.tif 000003
【図２】
2013189777.tif 000004
【図３】
2013189777.tif 000005
【図４】
2013189777.tif 000006
【図５】
2013189777.tif 000007
【図６】
2013189777.tif 000008
【図７】
2013189777.tif 000009
【図８】
2013189777.tif 000010
【図９】
2013189777.tif 000011
【図１０】
2013189777.tif 000012